(57)【要約】【課題】電子ペーパ装置に表示させる表示データの表示順を利用するユーザごとに効率よく並べ替えさせる。【解決手段】電子ペーパ情報管理装置１０のレコード抽出部１１２は、受信部１１１によって受信された電子ペーパ装置２０のクレイドルＩＤを用いて、電子ペーパ情報ファイル１２１から電子ペーパ情報レコードを抽出する。レコード並替部１１３は、抽出された複数の電子ペーパ情報レコードを、電子ペーパ装置２０に接近してきたＩＣタグ３０のタグ情報に含まれる条件に基いて並び替え、この並び替えた電子ペーパ情報レコードの個別表示順位に、ナンバリングの番号を順次格納する。レコード更新部１１４は、電子ペーパ情報レコードを更新する。送信部１１５は、更新されたレコードを含む電子ペーパ情報を電子ペーパ装置２０に送信する。【選択図】図１
2008242855.tif 000002
【特許請求の範囲】
【請求項１】
電子ペーパ装置に表示させる表示データを含む電子ペーパ情報を管理する電子ペーパ情報管理プログラムであって、
前記電子ペーパ装置によって検知されたＩＣタグから当該電子ペーパ装置が受信したタグ情報、および前記電子ペーパ装置を一意に特定する識別ＩＤを、前記電子ペーパ装置から受信する受信手順と、
前記受信手順によって受信された前記識別ＩＤを用いて、前記識別ＩＤごとに前記電子ペーパ情報を記憶する記憶部から前記電子ペーパ情報を抽出する抽出手順と、
前記抽出手順によって抽出された前記電子ペーパ情報に含まれる複数のレコードを、前記受信手順によって受信された前記タグ情報に含まれる条件に基いて、並び替える並替手順と、
前記並替手順によって並び替えられた前記レコードを含む前記電子ペーパ情報を、前記電子ペーパ装置に送信する送信手順と、
をコンピュータに実行させることを特徴とする電子ペーパ情報管理プログラム。
【請求項２】
前記条件には、複数の条件が含まれ、特定の属性が格納されたレコードを、他の属性が格納されたレコードよりも優先して並び替えさせる条件が含まれることを特徴とする請求項１に記載の電子ペーパ情報管理プログラム。
【請求項３】
電子ペーパ装置に表示させる表示データを含む電子ペーパ情報を管理する電子ペーパ情報管理装置であって、
前記電子ペーパ装置によって検知されたＩＣタグから当該電子ペーパ装置が受信したタグ情報、および前記電子ペーパ装置を一意に特定する識別ＩＤを、前記電子ペーパ装置から受信する受信手段と、
前記受信手段によって受信された前記識別ＩＤを用いて、前記識別ＩＤごとに前記電子ペーパ情報を記憶する記憶部から前記電子ペーパ情報を抽出する抽出手段と、
前記抽出手段によって抽出された前記電子ペーパ情報に含まれる複数のレコードを、前記受信手段によって受信された前記タグ情報に含まれる条件に基いて、並び替える並替手段と、
前記並替手段によって並び替えられた前記レコードを含む前記電子ペーパ情報を、前記電子ペーパ装置に送信する送信手段と、
を備えることを特徴とする電子ペーパ情報管理装置。
【発明の詳細な説明】
【技術分野】
【０００１】
この発明は、電子ペーパ装置に表示させる電子ペーパ情報を管理する際に有用な電子ペーパ情報管理プログラムおよび電子ペーパ情報管理装置に関し、特に、電子ペーパ装置に表示させる表示データの表示順を利用するユーザごとに効率よく並べ替えさせることが可能な電子ペーパ情報管理プログラムおよび電子ペーパ情報管理装置に関する。
【背景技術】
【０００２】
近年、紙に代わる媒体として、電子ペーパが用いられるようになってきた。この電子ペーパには様々な文書を格納して表示させることができるとともに、複数枚の電子ペーパを紙のように束ねて使用することもできる。したがって、例えば、会議等で用いられる各種の資料を格納する媒体としても活用することができる。ここで、例えば、電子ペーパを会議用の資料として複数枚束ねて使用する場合には、一般に、会議に参加する全ての出席者に対して、同一内容の資料が同一順にセットされた電子ペーパの束が配布されることになる。すなわち、全ての出席者に同一の電子ペーパ群が配布されることになる。また、下記特許文献１には、複数の端末が参加してネットワーク上で行われる電子会議において、一の端末から発信されたメッセージを、他の端末で参照できるか否かを、他の端末を操作するユーザの属性に応じて決定する技術が開示されている。
【０００３】
【特許文献１】特開２００６−１５５３１５号公報
【発明の開示】
【発明が解決しようとする課題】
【０００４】
ところで、仕事の進捗状況等を報告する会議では、自分が報告を担当する資料が最初の頁にセットされている方が便利な場合がある。すなわち、配布する担当者ごとに資料の表示順を並び替えた方が使いやすい場合がある。従来、このような要望に応えようとすると、ユーザごとに表示データの並び順を替えた電子ペーパ情報を準備しなければならず、手間がかかり処理効率が悪かった。一方、上記特許文献１に開示されている技術を電子ペーパに適用した場合には、自分が報告を担当する頁以外は表示されなくなるという問題がある。
【０００５】
この発明は、上述した従来技術による問題点を解消するためになされたものであり、電子ペーパ装置に表示させる表示データの表示順を利用するユーザごとに効率よく並べ替えさせることが可能な電子ペーパ情報管理プログラムおよび電子ペーパ情報管理装置を提供することを目的とする。
【課題を解決するための手段】
【０００６】
上述した課題を解決し、目的を達成するため、本発明は、電子ペーパ装置に表示させる表示データを含む電子ペーパ情報を管理する電子ペーパ情報管理プログラムであって、電子ペーパ装置によって検知されたＩＣタグから当該電子ペーパ装置が受信したタグ情報、および電子ペーパ装置を一意に特定する識別ＩＤを、電子ペーパ装置から受信する受信手順と、受信手順によって受信された識別ＩＤを用いて、識別ＩＤごとに電子ペーパ情報を記憶する記憶部から電子ペーパ情報を抽出する抽出手順と、抽出手順によって抽出された電子ペーパ情報に含まれる複数のレコードを、受信手順によって受信されたタグ情報に含まれる条件に基いて、並び替える並替手順と、並替手順によって並び替えられたレコードを含む電子ペーパ情報を、電子ペーパ装置に送信する送信手順と、をコンピュータに実行させることを特徴とする。
【０００７】
また、本発明は、電子ペーパ装置に表示させる表示データを含む電子ペーパ情報を管理する電子ペーパ情報管理装置であって、電子ペーパ装置によって検知されたＩＣタグから当該電子ペーパ装置が受信したタグ情報、および電子ペーパ装置を一意に特定する識別ＩＤを、電子ペーパ装置から受信する受信手段と、受信手段によって受信された識別ＩＤを用いて、識別ＩＤごとに電子ペーパ情報を記憶する記憶部から電子ペーパ情報を抽出する抽出手段と、抽出手段によって抽出された電子ペーパ情報に含まれる複数のレコードを、受信手段によって受信されたタグ情報に含まれる条件に基いて、並び替える並替手段と、並替手段によって並び替えられたレコードを含む電子ペーパ情報を、電子ペーパ装置に送信する送信手段と、を備えることを特徴とする。
【０００８】
これらの発明によれば、電子ペーパ装置に接近したＩＣタグから取得したタグ情報に含まれる条件で、当該電子ペーパ装置に表示させる表示データを含むレコードを並び替えさせることができ、この並び替えたレコードを含む電子ペーパ情報を電子ペーパ装置に送信させることができるため、この電子ペーパ情報を受信した電子ペーパ装置に、並び替えたレコードに従って電子ペーパ情報を表示させることが可能となる。すなわち、電子ペーパ装置を利用するユーザが所持するＩＣタグのタグ情報に含まれる条件によって、電子ペーパ装置に表示させる表示データの表示順を利用するユーザごとに効率よく並べ替えさせることが可能となる。
【０００９】
また、本発明は、上記発明において、上記条件には、複数の条件が含まれ、特定の属性が格納されたレコードを、他の属性が格納されたレコードよりも優先して並び替えさせる条件が含まれることを特徴とする。
【発明の効果】
【００１０】
本発明によれば、電子ペーパ装置に接近したＩＣタグから取得したタグ情報に含まれる条件で、当該電子ペーパ装置に表示させる表示データを含むレコードを並び替えさせることができ、この並び替えたレコードを含む電子ペーパ情報を電子ペーパ装置に送信させることができるため、この電子ペーパ情報を受信した電子ペーパ装置では、並び替えたレコードに従って電子ペーパ情報を表示させることができる。
【００１１】
すなわち、本発明によれば、電子ペーパ装置に表示させる表示データの表示順を利用するユーザごとに効率よく並べ替えさせることができるという効果を奏する。
【発明を実施するための最良の形態】
【００１２】
以下に添付図面を参照して、この発明に係る電子ペーパ情報管理プログラムおよび電子ペーパ情報管理装置の好適な実施形態を詳細に説明する。
【実施例】
【００１３】
まず、本実施例における電子ペーパ情報管理装置の構成について説明する。図１は、電子ペーパ情報管理システムの構成図である。同図に示すように、電子ペーパ情報管理システム１は、電子ペーパ情報管理装置１０と、電子ペーパ装置２０と、ＩＣタグ３０とを有する。
【００１４】
電子ペーパ情報管理装置１０は、電子ペーパ装置２０に表示させる表示データを含む電子ペーパ情報を管理するサーバ装置である。電子ペーパ情報管理装置１０の詳細については後述する。
【００１５】
電子ペーパ装置２０は、クレイドル２１と、センサ２２と、電子ペーパ２３とを有する。クレイドル２１は、電子ペーパ情報管理装置１０との間で行われる通信を制御する通信部と、電子ペーパ情報管理装置１０から受信した電子ペーパ情報に含まれる表示データを各電子ペーパ２３に表示させる表示部と、電子ペーパ装置２０にセットされた電子ペーパ２３の枚数を検出する検出部と、各電子ペーパ２３の配置（頁位置）関係を記憶する記憶部とを有する。センサ２２は、電子ペーパ装置２０に接近するＩＣタグ３０を検知する検知部と、検知されたＩＣタグ３０から後述するタグ情報を取得する通信部とを有する。電子ペーパ２３は、電子ペーパ情報管理装置１０から受信した表示データを表示させる表示部を有する。
【００１６】
ここで、図１に示す電子ペーパ装置２０には、３枚の電子ペーパ２３Ａ，２３Ｂ，２３Ｃがセットされている。これら３枚の電子ペーパの配置関係は、１頁目に電子ペーパ２３Ａが配置されており、２頁目に電子ペーパ２３Ｂが配置されており、３頁目に電子ペーパ２３Ｃが配置されている。この場合に、クレイドル２１の検出部は、電子ペーパ装置２０にセットされた電子ペーパ２３の枚数が３枚であることを検知し、クレイドル２１の記憶部は、各頁数に対応付けて、各電子ペーパを一意に特定する電子ペーパＩＤを記憶する。これにより、電子ペーパ装置２０にセットされた複数の電子ペーパ２３間の位置関係が認識可能となる。
【００１７】
ＩＣタグ３０は、ユーザによって所持されるＩＣタグであり、電子ペーパ装置２０に送信するタグ情報を記憶するタグ情報ファイル３０１を有する。ここで、図２を参照して、タグ情報ファイル３０１のデータ構成について説明する。図２は、タグ情報ファイルのデータ構成図である。タグ情報ファイル３０１は、データ項目として、例えば、属性、条件１、条件２を有する。属性には、例えば、ＩＣタグ３０を所持するユーザが所属する部署（グループ）等のユーザの属性に関する情報が格納される。条件１および条件２には、後述する電子ペーパ情報管理装置１０で管理されている電子ペーパ情報を並び替える際の条件が格納される。
【００１８】
図１を参照して、電子ペーパ情報管理装置１０の機能構成について説明する。同図に示すように、電子ペーパ情報管理装置１０は、制御部１１と、記憶部１２と、通信部１３とを有する。制御部１１は、電子ペーパ情報管理装置１０を全体制御する。記憶部１２は、制御部１１での処理に用いられる電子ペーパ情報ファイル１２１、電子ペーパ元情報ファイル１２３、クレイドル情報ファイル１２２を記憶する。通信部１３は、電子ペーパ装置２０との間で行われる通信を制御する。
【００１９】
制御部１１は、受信部１１１と、レコード抽出部１１２と、レコード並替部１１３と、レコード更新部１１４と、送信部１１５とを有する。
【００２０】
受信部１１１は、電子ペーパ装置２０がＩＣタグ３０から受信したタグ情報、および電子ペーパ装置２０に装着されているクレイドル２１を一意に特定するクレイドルＩＤを、電子ペーパ装置２０から受信する。
【００２１】
ここで、図３を参照して、電子ペーパ情報ファイル１２１のデータ構成について説明する。図３は、電子ペーパ情報ファイルのデータ構成図である。電子ペーパ情報ファイル１２１は、データ項目として、例えば、資料ＮＯ、資料名、表示データ、属性１、属性２、クレイドルＩＤ、初期表示順位、個別表示順位を有する。資料ＮＯには、資料を一意に特定するために割り振られた番号が格納される。資料名には、資料を識別するための名称が格納される。表示データには、電子ペーパの表示画面上に表示される実データが格納される。属性１および属性２には、電子ペーパを並び替える際の並び替えの要素が格納され、例えば、所属部署を一意に特定するためのグループＩＤや日付等が格納される。クレイドルＩＤには、クレイドル２１を一意に特定するためのＩＤが格納される。初期表示順位には、デフォルトの表示順が格納される。個別表示順位には、ユーザごとに設定される表示順が格納される。この電子ペーパ情報ファイル１２１は、クレイドル情報ファイル１２２と電子ペーパ元情報ファイル１２３とを用いて生成される。電子ペーパ情報ファイル１２１の生成手順については、後述する。
【００２２】
図１に示すレコード抽出部１１２は、受信部１１１によって受信されたクレイドルＩＤを用いて、記憶部１２の電子ペーパ情報ファイル１２１から電子ペーパ情報を抽出する。具体的に、レコード抽出部１１２は、記憶部１２の電子ペーパ情報ファイル１２１によって記憶されている電子ペーパ情報から、受信部１１１によって受信されたクレイドルＩＤと合致するクレイドルＩＤを有する電子ペーパ情報レコードを抽出する。
【００２３】
レコード並替部１１３は、レコード抽出部１１２によって抽出された電子ペーパ情報レコードを、受信部１１１によって受信されたタグ情報に含まれる条件１および条件２に基いて並び替える。レコード並替部１１３は、並び替えた電子ペーパ情報レコードの個別表示順位に、ナンバリングの番号を順次格納する。この並び替えの具体的な手順について、タグ情報の内容が図２に示すタグ情報の内容である場合を例にして説明する。
【００２４】
最初に、レコード並替部１１３は、タグ情報の条件１に従って電子ペーパ情報レコードの属性１に“２Ｇ”が格納されている電子ペーパ情報レコードを選択する。レコード並替部１１３は、選択した電子ペーパ情報レコードを、タグ情報の条件２に従って資料ＮＯ順に並び替える。レコード並替部１１３は、並び替えた電子ペーパ情報レコードの個別表示順位に、ナンバリングの番号を順次格納する。続いて、レコード並替部１１３は、タグ情報の条件１に合致するレコードを排除するために電子ペーパ情報レコードの属性１に“２Ｇ”以外が格納されている電子ペーパ情報レコードを選択する。レコード並替部１１３は、選択した電子ペーパ情報レコードを、タグ情報の条件２に従って資料ＮＯ順に並び替える。レコード並替部１１３は、並び替えた電子ペーパ情報レコードの個別表示順位に、条件１のナンバリング時に使用された番号以降で行われるナンバリングの番号を順次格納する。これにより、タグ情報の条件１および条件２に基いた電子ペーパ情報レコードの並び替えが終了する。
【００２５】
図１に示すレコード更新部１１４は、レコード並替部１１３によって個別表示順位にナンバリングの番号が格納された電子ペーパ情報レコードを更新する。
【００２６】
送信部１１５は、レコード更新部１１４によって更新された電子ペーパ情報レコードを含む電子ペーパ情報を、電子ペーパ装置２０に送信する。
【００２７】
図３〜図５を参照して、クレイドル情報ファイル１２２と電子ペーパ元情報ファイル１２３とを用いて電子ペーパ情報ファイル１２１を生成する際の手順について説明する。
【００２８】
図４は、クレイドル情報ファイルのデータ構成図である。このクレイドル情報ファイル１２２は、各電子ペーパ装置２０にセットされた電子ペーパの枚数を管理するファイルである。クレイドル情報ファイル１２２は、データ項目として、例えば、クレイドルＩＤ、電子ペーパ枚数を有する。このクレイドル情報ファイル１２２のクレイドルＩＤと電子ペーパ枚数には、各電子ペーパ装置２０のクレイドル２１から送信されるクレイドルＩＤと電子ペーパ枚数が格納される。なお、電子ペーパ装置２０のクレイドル２１は、電子ペーパ情報管理装置１０から送信される電子ペーパ枚数通知要求に応じて、電子ペーパ装置２０にセットされている電子ペーパの枚数を検知して、検知した電子ペーパの枚数とクレイドルＩＤとを電子ペーパ情報管理装置１０に送信する。
【００２９】
図５は、電子ペーパ元情報ファイルのデータ構成図である。この電子ペーパ元情報ファイル１２３は、従来から存在するファイルであり、同一の表示順で出力する際の電子ペーパ情報が格納されたファイルである。電子ペーパ元情報ファイル１２３は、データ項目として、例えば、資料ＮＯ、資料名、表示データ、属性１、属性２を有する。これらの各データ項目は、上述した電子ペーパ情報ファイル１２１が有する資料ＮＯ、資料名、表示データ、属性１、属性２と同様のデータ項目であるため、説明を省略する。
【００３０】
最初に、電子ペーパ情報管理装置１０は、クレイドル情報ファイル１２２から、１件目のクレイドル情報レコードを読み込む。そして、電子ペーパ情報管理装置１０は、読み込んだクレイドル情報レコードの電子ペーパ枚数に格納されている枚数分の電子ペーパ情報レコードを生成する。具体的には、図４に示すクレイドル情報レコードの１件目の電子ペーパ枚数には“３”が格納されているため、３件の電子ペーパ情報レコードが新規に生成される。
【００３１】
続いて、電子ペーパ情報管理装置１０は、生成した３件の電子ペーパ情報レコードのクレイドルＩＤに、読み込んだクレイドル情報レコードのクレイドルＩＤを格納する。具体的には、図４に示すクレイドル情報レコードの１件目のクレイドルＩＤには“００１”が格納されているため、生成した３件の電子ペーパ情報レコードのクレイドルＩＤには、“００１”が格納される。
【００３２】
続いて、電子ペーパ情報管理装置１０は、生成した３件の電子ペーパ情報レコードの資料ＮＯ、資料名、表示データ、属性１、属性２に、電子ペーパ元情報ファイルに含まれる３件の電子ペーパ元情報レコードが有する資料ＮＯ、資料名、表示データ、属性１、属性２を順次格納する。これにより、クレイドルＩＤが“００１”である電子ペーパ装置２０に表示させる電子ペーパ情報レコードが生成される。
【００３３】
続いて、電子ペーパ情報管理装置１０は、クレイドル情報ファイル１２２から、２件目のクレイドル情報レコードを読み込む。そして、これ以降は、１件目のクレイドル情報レコードを読み込んだときと同様にして、さらに３件の電子ペーパ情報レコードを生成する。これにより、クレイドルＩＤが“００２”である電子ペーパ装置２０に表示させる電子ペーパ情報レコードが生成され、図３に示す各データが格納された電子ペーパ情報ファイルが生成される。
【００３４】
次に、図６を参照して、本実施例における電子ペーパ情報管理システムの処理手順について説明する。図６は、電子ペーパ情報管理の処理手順を示すフローチャートである。この処理手順では、クレイドルＩＤが“００１”である電子ペーパ装置２０に、図５に示すタグ情報が格納されたＩＣタグ３０が接近した場合の手順について説明する。
【００３５】
最初に、あるユーザに所持されたＩＣタグ３０が電子ペーパ装置２０に接近する（ステップＳ１０１）と、ＩＣタグ３０は、タグ情報ファイル３０１に記憶されているタグ情報を電子ペーパ装置２０に送信する（ステップＳ１０２）。電子ペーパ装置２０は、ＩＣタグ３０から受信したタグ情報と、自装置２０に装着されているクレイドル２１のクレイドルＩＤとを電子ペーパ情報管理装置１０に送信する（ステップＳ１０３）。
【００３６】
続いて、電子ペーパ情報管理装置１０のレコード抽出部１１２は、受信部１１１によって受信されたクレイドルＩＤを用いて、記憶部１２の電子ペーパ情報ファイル１２１によって記憶されている電子ペーパ情報レコードを抽出する（ステップＳ１０４）。具体的には、図３に示す電子ペーパ情報レコードのうち、クレイドルＩＤに“００１”が格納されている３件の電子ペーパ情報レコードが抽出される。
【００３７】
続いて、電子ペーパ情報管理装置１０のレコード並替部１１３は、レコード抽出部１１２によって抽出された複数の電子ペーパ情報レコードから、電子ペーパ情報レコードの属性１に“２Ｇ”が格納されている電子ペーパ情報レコードを選択し（ステップＳ１０５）、この選択した電子ペーパ情報レコードを資料ＮＯ順に並び替える（ステップＳ１０６）。具体的には、図３示す電子ペーパ情報のうち、クレイドルＩＤに“００１”が格納されていて、属性１に“２Ｇ”が格納されている１件の電子ペーパ情報レコードが選択され、資料ＮＯ順に並び替えられる。なお、この場合には、選択された電子ペーパ情報レコードが１件のみであるため、実際には並び替えによって並び順が変動することはない。
【００３８】
続いて、電子ペーパ情報管理装置１０のレコード並替部１１３は、上記ステップＳ１０６で資料ＮＯ順に並び替えられた電子ペーパ情報レコードの個別表示順位に、ナンバリングの番号を順次格納する（ステップＳ１０７）。具体的には、図３に示す電子ペーパ情報のうち、クレイドルＩＤに“００１”が格納されていて、属性１に“２Ｇ”が格納されている電子ペーパ情報レコードの個別表示順位に“１”が格納される。
【００３９】
続いて、電子ペーパ情報管理装置１０のレコード並替部１１３は、上記ステップＳ１０４で抽出された複数の電子ペーパ情報レコードから、電子ペーパ情報レコードの属性１に“２Ｇ”以外が格納されている電子ペーパ情報レコードを選択し（ステップＳ１０８）、この選択した電子ペーパ情報レコードを資料ＮＯ順に並び替える（ステップＳ１０９）。具体的には、図３示す電子ペーパ情報のうち、クレイドルＩＤに“００１”が格納されていて、属性１に“１Ｇ”または“３Ｇ”が格納されている２件の電子ペーパ情報レコードが選択され、資料ＮＯ順に並び替えられる。
【００４０】
続いて、電子ペーパ情報管理装置１０のレコード並替部１１３は、上記ステップＳ１０９で資料ＮＯ順に並び替えられた電子ペーパ情報レコードの個別表示順位に、上記ステップＳ１０７におけるナンバリングで使用された番号以降で行われるナンバリングの番号を順次格納する（ステップＳ１１０）。具体的には、図３に示す電子ペーパ情報のうち、クレイドルＩＤに“００１”が格納されていて、属性１に“１Ｇ”が格納されている電子ペーパ情報レコードの個別表示順位に“２”が格納され、属性１に“３Ｇ”が格納されている電子ペーパ情報レコードの個別表示順位に“３”が格納される。
【００４１】
続いて、電子ペーパ情報管理装置１０のレコード更新部１１４は、上記ステップＳ１０７およびステップＳ１１０において個別表示順位にナンバリングの番号が格納された電子ペーパ情報レコードを更新する（ステップＳ１１１）。
【００４２】
続いて、電子ペーパ情報管理装置１０の送信部１１５は、レコード更新部１１４によって更新されたレコードを含む電子ペーパ情報を、電子ペーパ装置２０に送信する（ステップＳ１１２）。具体的には、図３に示す電子ペーパ情報のうち、クレイドルＩＤに“００１”が格納されている３件の電子ペーパ情報レコードが、電子ペーパ装置２０に送信される。
【００４３】
電子ペーパ装置２０は、電子ペーパ情報管理装置１０で更新された個別表示順位に従って各電子ペーパ２３Ａ，２３Ｂ，２３Ｃに表示データを表示させる（ステップＳ１１３）。具体的には、図２に示す電子ペーパ情報のうち、クレイドルＩＤに“００１”が格納されていて、資料ＮＯに“０２”が格納されている報告書２の表示データが、電子ペーパ装置２０の電子ペーパ２３Ａに表示され、資料ＮＯに“０１”が格納されている報告書１の表示データが、電子ペーパ装置２０の電子ペーパ２３Ｂに表示され、資料ＮＯに“０３”が格納されている報告書３の表示データが、電子ペーパ装置２０の電子ペーパ２３Ｃに表示される。
【００４４】
上述してきたように、本実施例の電子ペーパ情報管理装置１０では、電子ペーパ装置２０に接近したＩＣタグ３０から取得したタグ情報に含まれる条件で、この電子ペーパ装置２０に表示させる表示データを含む電子ペーパ情報レコードを並び替えさせることができる。また、この並び替えた電子ペーパ情報レコードの個別表示順位に、ナンバリングの番号を順次格納させることができる。また、この番号を格納した電子ペーパ情報レコードを含む電子ペーパ情報を電子ペーパ装置２０に送信させることができる。したがって、この電子ペーパ情報を受信した電子ペーパ装置２０に、個別表示順位に従って電子ペーパ情報を表示させることが可能となる。すなわち、電子ペーパ装置２０を利用するユーザが所持するＩＣタグ３０のタグ情報に含まれる条件によって、電子ペーパ装置２０に表示させる表示データの表示順を利用するユーザごとに効率よく並べ替えさせることが可能となる。
【００４５】
なお、上述した実施例では、並び替えの条件として、条件１と条件２を用いているが、これに限定されず、条件は、１つであってもよいし、複数であってもよい。
【００４６】
また、図１に示した本実施例における電子ペーパ情報管理装置１０の構成は、本発明の要旨を逸脱しない範囲で種々に変更することができる。例えば、電子ペーパ情報管理装置１０の制御部１１の機能をソフトウェアとして実装し、これをコンピュータで実行することにより、電子ペーパ情報管理装置１０と同等の機能を実現することもできる。以下に、制御部１１の機能をソフトウェアとして実装した電子ペーパ情報管理プログラム１０７１を実行するコンピュータの一例を示す。
【００４７】
図７は、電子ペーパ情報管理プログラム１０７１を実行するコンピュータ１０００の構成図である。このコンピュータ１０００は、各種演算処理を実行するＣＰＵ（CentralProcessingUnit）１０１０と、ユーザからのデータの入力を受け付ける入力装置１０２０と、各種情報を表示するモニタ１０３０と、記録媒体からプログラム等を読み取る媒体読取装置１０４０と、ネットワークを介して他のコンピュータとの間でデータの授受をおこなう通信装置１０５０と、各種情報を一時記憶するＲＡＭ（RandomAccessMemory）１０６０と、ハードディスク装置１０７０とをバス１０８０で接続して構成される。
【００４８】
そして、ハードディスク装置１０７０には、図１に示す制御部１１と同様の機能を有する電子ペーパ情報管理プログラム１０７１と、図１に示す記憶部１２に記憶される各種データに対応する電子ペーパ情報管理用データ１０７２とが記憶される。なお、電子ペーパ情報管理用データ１０７２を、適宜分散させ、ネットワークを介して接続された他のコンピュータに記憶させておくこともできる。
【００４９】
そして、ＣＰＵ１０１０が電子ペーパ情報管理プログラム１０７１をハードディスク装置１０７０から読み出してＲＡＭ１０６０に展開することにより、電子ペーパ情報管理プログラム１０７１は、電子ペーパ情報管理プロセス１０６１として機能するようになる。そして、電子ペーパ情報管理プロセス１０６１は、電子ペーパ情報管理用データ１０７２から読み出した情報等を適宜ＲＡＭ１０６０上の自身に割り当てられた領域に展開し、この展開したデータ等に基づいて各種データ処理を実行する。
【００５０】
なお、電子ペーパ情報管理プログラム１０７１は、必ずしもハードディスク装置１０７０に格納されている必要はなく、ＣＤ−ＲＯＭ等の記憶媒体に記憶されたこのプログラムを、コンピュータ１０００が読み出して実行するようにしてもよい。また、公衆回線、インターネット、ＬＡＮ（LocalAreaNetwork）、ＷＡＮ（WideAreaNetwork）等を介してコンピュータ１０００に接続される他のコンピュータ（またはサーバ）等にこのプログラムを記憶させておき、コンピュータ１０００がこれらからプログラムを読み出して実行するようにしてもよい。
【産業上の利用可能性】
【００５１】
以上のように、本発明にかかる電子ペーパ情報管理プログラムおよび電子ペーパ情報管理装置は、電子ペーパ装置に表示させる電子ペーパ情報を管理する際に有用であり、特に、電子ペーパ装置に表示させる表示データの表示順を利用するユーザごとに効率よく並べ替えさせることに適している。
【図面の簡単な説明】
【００５２】
【図１】電子ペーパ情報管理システムの構成図である。
【図２】タグ情報ファイルのデータ構成図である。
【図３】電子ペーパ情報ファイルのデータ構成図である。
【図４】クレイドル情報ファイルのデータ構成図である。
【図５】電子ペーパ元情報ファイルのデータ構成図である。
【図６】電子ペーパ情報管理の処理手順を示すフローチャートである。
【図７】電子ペーパ情報管理プログラムを実行するコンピュータの機能構成図である。
【符号の説明】
【００５３】
１    電子ペーパ情報管理システム
１０    電子ペーパ情報管理装置
１１    制御部
１１１    受信部
１１２    レコード抽出部
１１３    レコード並替部
１１４    レコード更新部
１１５    送信部
１２    記憶部
１２１    電子ペーパ情報ファイル
１２２    クレイドル情報ファイル
１２３    電子ペーパ元情報ファイル
１３    通信部
２０    電子ペーパ装置
２１    クレイドル
２２    センサ
２３    電子ペーパ
３０    タグ
３０１    タグ情報ファイル
１０００    コンピュータ
１０１０    ＣＰＵ
１０２０    入力装置
１０３０    モニタ
１０４０    媒体読取装置
１０５０    通信装置
１０６０    ＲＡＭ
１０６１    電子ペーパ情報管理プロセス
１０７０    ハードディスク装置
１０７１    電子ペーパ情報管理プログラム
１０７２    電子ペーパ情報管理用データ
１０８０    バス
【図１】
2008242855.tif 000003
【図２】
2008242855.tif 000004
【図３】
2008242855.tif 000005
【図４】
2008242855.tif 000006
【図５】
2008242855.tif 000007
【図６】
2008242855.tif 000008
【図７】
2008242855.tif 000009